(57)【要約】【課題】プリント配線板の端部がコネクタに対して正規の嵌合位置まで挿入されていない場合に、導通テストで異常を検出可能なコネクタ接続構造を提供する。【解決手段】プリント配線板１３０の表面１３０ｃに形成された複数対の信号線１３２Ａ、１３２Ｂのうち、右端部に位置する１対の信号線１３２Ａ１、１３２Ｂにおける右側の信号線１３２Ａ１の構成として、プリント配線板１３０の挿入方向に延びる第１領域１３２Ａ１ａと、その端部から右側に屈曲してプリント配線板１３０の先端面１３０ｄまで延びる第２領域１３２Ａ１ｂとからなる構成とする。これにより、プリント配線板１３０の第１端部１３０ａがコネクタ１５０Ａに対して正規の嵌合位置まで挿入された嵌合状態では信号線１３２Ａ１をその第１領域１３２Ａ１ａにおいてコネクタ側の接点１５２Ａと導通させる一方、半嵌合状態では信号線１３２Ａ１をコネクタ側の接点１５２Ａと導通させないようにする。【選択図】図７
2020119943.tif 000002
【特許請求の範囲】
【請求項１】
プリント配線板の端部をコネクタに挿入することにより上記プリント配線板を上記コネクタと電気的に接続するように構成されたコネクタ接続構造において、
上記プリント配線板の表面に、該プリント配線板の先端面まで該プリント配線板の挿入方向に延びる複数の導電線が形成されており、
上記複数の導電線のうち信号線または電源線を構成する少なくとも１つの導電線は、上記挿入方向に延びる第１領域とこの第１領域の端部から屈曲して上記先端面まで延びる第２領域とを備えている、ことを特徴とするコネクタ接続構造。
【請求項２】
上記複数の導電線のうち上記挿入方向と直交する方向の端部に位置する信号線または電源線が、上記少なくとも１つの導電線として設定されている、ことを特徴とする請求項１記載のコネクタ接続構造。
【請求項３】
上記複数の導電線のうち上記挿入方向と直交する方向の両端部に位置する信号線または電源線が、上記少なくとも１つの導電線として設定されている、ことを特徴とする請求項１記載のコネクタ接続構造。
【請求項４】
上記少なくとも１つの導電線は、上記第２領域が上記第１領域よりも細幅で形成されている、ことを特徴とする請求項１〜３いずれか記載のコネクタ接続構造。
【請求項５】
上記少なくとも１つの導電線は、上記第２領域がクランク状に形成されている、ことを特徴とする請求項１〜４いずれか記載のコネクタ接続構造。
【請求項６】
上記複数の導電線として、並列に配置された複数対の信号線とこれら複数対の信号線の各々の両側に配置された複数のグラウンド線とを備えており、
上記複数対の信号線のうち上記挿入方向と直交する方向の端部に位置する１対の信号線における上記端部側の信号線が、上記少なくとも１つの導電線として設定されており、
上記少なくとも１つの導電線を構成する信号線に対して上記端部側に隣接するグラウンド線は、該信号線の第２領域から離れる方向へ屈曲して上記プリント配線板の先端面まで延びている、ことを特徴とする請求項１〜５いずれか記載のコネクタ接続構造。
【発明の詳細な説明】
【技術分野】
【０００１】
本願発明は、プリント配線板をコネクタと電気的に接続するように構成されたコネクタ接続構造に関するものである。
【背景技術】
【０００２】
従来より、プリント配線板をコネクタと電気的に接続するためのコネクタ接続構造として、プリント配線板の端部をコネクタに挿入するように構成されたものが知られている。
【０００３】
例えば「特許文献１」には、フレキシブルプリント配線板の端部をコネクタに挿入するように構成されたコネクタ接続構造が記載されている。
【先行技術文献】
【特許文献】
【０００４】
【特許文献１】特開２０１０−２６７４６８号公報
【発明の概要】
【発明が解決しようとする課題】
【０００５】
このようなコネクタ接続構造において、プリント配線板の表面に、該プリント配線板の先端面までその挿入方向に延びる複数の導電線が形成された構成とすれば、複数の導電線をメッキ処理等によって容易に形成することが可能となる。
【０００６】
しかしながら、このようなコネクタ接続構造を採用した場合には、プリント配線板の端部がコネクタに対して正規の嵌合位置まで挿入されていない半嵌合状態でも、プリント配線板側の信号線または電源線がコネクタ側の接点と導通してしまう場合がある。そして、このような場合には、製品として適正な組付けが行われていないにもかかわらず、出荷前の導通テストで異常なしとの誤った判定がなされてしまうこととなる。
【０００７】
本願発明は、このような事情に鑑みてなされたものであって、プリント配線板をコネクタと電気的に接続するように構成されたコネクタ接続構造において、プリント配線板の端部がコネクタに対して正規の嵌合位置まで挿入されていない場合には導通テストで異常を検出することができるコネクタ接続構造を提供することを目的とするものである。
【課題を解決するための手段】
【０００８】
本願発明は、プリント配線板の表面に形成される導電線の形状に工夫を施すことにより、上記目的達成を図るようにしたものである。
【０００９】
すなわち、本願発明に係るコネクタ接続構造は、
プリント配線板の端部をコネクタに挿入することにより上記プリント配線板を上記コネクタと電気的に接続するように構成されたコネクタ接続構造において、
上記プリント配線板の表面に、該プリント配線板の先端面まで該プリント配線板の挿入方向に延びる複数の導電線が形成されており、
上記複数の導電線のうち信号線または電源線を構成する少なくとも１つの導電線は、上記挿入方向に延びる第１領域とこの第１領域の端部から屈曲して上記先端面まで延びる第２領域とを備えている、ことを特徴とするものである。
【００１０】
上記「プリント配線板」は、硬質配線板として構成されていてもよいし、フレキシブル配線板として構成されていてもよい。
【００１１】
上記「第２領域」は、第１領域の端部から屈曲してプリント配線板の先端面まで延びていれば、その具体的な屈曲形状は特に限定されるものではない。
【発明の効果】
【００１２】
本願発明に係るコネクタ接続構造は、プリント配線板の端部をコネクタに挿入することによりプリント配線板をコネクタと電気的に接続する構成となっているが、プリント配線板の表面には該プリント配線板の先端面までその挿入方向に延びる複数の導電線が形成されているので、複数の導電線をメッキ処理等によって容易に形成することが可能となる。
【００１３】
その上で、これら複数の導電線のうち信号線または電源線を構成する少なくとも１つの導電線は、プリント配線板の挿入方向に延びる第１領域とこの第１領域の端部から屈曲してプリント配線板の先端面まで延びる第２領域とを備えているので、次のような作用効果を得ることができる。
【００１４】
すなわち、プリント配線板の端部がコネクタに対して正規の嵌合位置まで挿入された嵌合状態では、上記少なくとも１つの導電線をその第１領域においてコネクタ側の接点と導通させる一方、正規の嵌合位置まで挿入されていない半嵌合状態では、上記少なくとも１つの導電線をコネクタ側の接点と導通させないようにすることができる。これにより半嵌合状態では、適正な組付けが行われていないものとして、製品出荷前の導通テストで異常ありとの正しい判定がなされるようにすることができる。
【００１５】
このように本願発明によれば、プリント配線板をコネクタと電気的に接続するように構成されたコネクタ接続構造において、プリント配線板の端部がコネクタに対して正規の嵌合位置まで挿入されていない場合には導通テストで異常を検出することができる。
【００１６】
上記構成において、さらに、複数の導電線のうち挿入方向と直交する方向の端部に位置する信号線または電源線が、上記少なくとも１つの導電線として設定された構成とすれば、その第２領域を第１領域の端部から屈曲してプリント配線板の先端面まで延びるように形成するためのスペースを確保することが容易に可能となる。
【００１７】
また、プリント配線板の端部がコネクタに対して斜めに挿入された場合には、その傾斜方向後方側に位置する端部はコネクタ側の接点からの変位量が大きくなるので、上記少なくとも１つの導電線として設定された信号線または電源線がこの端部側に位置している場合には、コネクタ側の接点と導通させないようにすることが容易に可能となる。
【００１８】
上記構成において、さらに、複数の導電線のうち挿入方向と直交する方向の両端部に位置する信号線または電源線が、上記少なくとも１つの導電線として設定された構成とすれば、プリント配線板の端部がコネクタに対していずれの方向に傾斜して挿入された場合においても、上記少なくとも１つの導電線として設定された信号線または電源線をコネクタ側の接点と導通させないようにすることが容易に可能となる。
【００１９】
上記構成において、さらに、上記少なくとも１つの導電線として、その第２領域が第１領域よりも細幅で形成された構成とすれば、半嵌合状態でこれをコネクタ側の接点と導通させないようにするための第２領域の引き回しを容易に行うことができる。
【００２０】
上記構成において、さらに、上記少なくとも１つの導電線として、その第１領域がクランク状に形成されたものとすれば、半嵌合状態でこれをコネクタ側の接点と導通させないようにするための第２領域の引き回しを容易に行うことができる。
【００２１】
上記構成において、複数の導電線として、並列に配置された複数対の信号線とこれら複数対の信号線の各々の両側に位置するように配置された複数のグラウンド線とを備えた構成とすれば、信号線を介して入出力される信号の劣化を抑制することができ、また、信号線からの発生ノイズおよび信号線への侵入ノイズを低減することができる。
【００２２】
その上で、複数対の信号線のうち挿入方向と直交する方向の端部に位置する１対の信号線における上記端部側の信号線が、上記少なくとも１つの導電線として設定された構成とすれば、その第２領域を第１領域の端部から屈曲してプリント配線板の先端面まで延びるように形成するためのスペースを確保することが容易に可能となる。
【００２３】
その際、上記少なくとも１つの導電線を構成する信号線に対して上記端部側に隣接するグラウンド線として、該信号線の第２領域から離れる方向へ屈曲してプリント配線板の先端面まで延びる構成とすれば、少なくとも１つの導電線を構成する信号線との間隔を確保することが容易に可能となる。
【図面の簡単な説明】
【００２４】
【図１】本願発明の一実施形態に係るコネクタ接続構造を有する灯具ユニットを備えた車両用灯具を示す側断面図
【図２】上記車両用灯具からコネクタ接続構造およびその周辺構造を取り出して示す斜視図
【図３】図２のIII 方向矢視図
【図４】図３のIV部詳細図
【図５】図３に示すコネクタ接続構造の作用を示す、図３と同様の図
【図６】図３に示すコネクタ接続構造の作用を示す、図３と同様の図
【図７】（ａ）は図５のVIIa部詳細図、（ｂ）は図５のVIIb部詳細図
【図８】図２のVIII方向矢視図
【図９】図８に示すコネクタ接続構造の作用を示す、図７と同様の図
【発明を実施するための形態】
【００２５】
以下、図面を用いて、本願発明の実施の形態について説明する。
【００２６】
図１は、本願発明の一実施形態に係るコネクタ接続構造を有する灯具ユニット１０を備えた車両用灯具１００を示す側断面図である。また、図２は、この車両用灯具１００からコネクタ接続構造およびその周辺構造を取り出して示す斜視図である。
【００２７】
これらの図において、Ｘで示す方向が「ユニット前方」であり、Ｙで示す方向が「ユニット前方」と直交する「左方向」（ユニット正面視では「右方向」）であり、Ｚで示す方向が「上方向」である。これら以外の図においても同様である。
【００２８】
車両用灯具１００は、車両の前端部に設けられるヘッドランプであって、ランプボディ１０２と透光カバー１０４とで形成される灯室内に、灯具ユニット１０がその前後方向（すなわちユニット前後方向）を車両前後方向と一致させるように光軸調整が行われた状態で収容された構成となっている。
【００２９】
灯具ユニット１０は、空間光変調ユニット２０と、光源側サブアッシー５０と、レンズ側サブアッシー７０とを備えている。そして、この灯具ユニット１０は、その空間光変調ユニット２０の一部を構成するブラケット４０において図示しない取付構造を介してランプボディ１０２に支持されている。
【００３０】
空間光変調ユニット２０は、空間光変調器３０と、この空間光変調器３０よりもユニット後方側に配置された支持基板２２と、この支持基板２２よりもユニット後方側に配置されたヒートシンク２４と、空間光変調器３０よりもユニット前方側に配置されたブラケット４０とを備えている。
【００３１】
ブラケット４０は、金属製の部材であって、ユニット前後方向と直交する鉛直面に沿って延びる鉛直面部４０Ａと、この鉛直面部４０Ａの下端縁からユニット前方へ向けて略水平面に沿って延びる水平面部４０Ｂとを備えている。
【００３２】
光源側サブアッシー５０は、左右１対の光源（具体的には発光ダイオード）５２と、これら光源５２からの出射光を空間光変調ユニット２０へ向けて反射させるリフレクタ５４と、これらを支持するベース部材６０とを備えており、そのベース部材６０においてブラケット４０の水平面部４０Ｂに支持されている。
【００３３】
レンズ側サブアッシー７０は、ユニット前後方向に延びる光軸Ａｘを有する投影レンズ７２と、この投影レンズ７２を支持するレンズホルダ７４とを備えており、そのレンズホルダ７４においてブラケット４０の水平面部４０Ｂに支持されている。
【００３４】
光源側サブアッシー５０よりもユニット前方側でかつレンズ側サブアッシー７０よりも下方側には、各光源５２の点灯によって発生する熱を放散させるためのヒートシンク８０と放熱ファン８２とが配置されている。ヒートシンク８０は、伝熱板８４および左右１対のヒートパイプ８６を介して光源側サブアッシー５０の伝熱板６２と連結されている。
【００３５】
そして、灯具ユニット１０は、リフレクタ５４で反射した各光源５２からの光を空間光変調器３０および投影レンズ７２を介してユニット前方へ向けて照射することにより、種々の配光パターン（例えば、ロービーム用配光パターンやハイビーム用配光パターンあるいは車両走行状況に応じて変化する配光パターンさらには車両前方路面に文字や記号等を描画する配光パターン等）を精度良く形成し得る構成となっている。
【００３６】
これを実現するため、灯具ユニット１０は、図示しない車載カメラからの映像信号に基づいて空間光変調器３０を制御する制御回路（図示せず）が搭載された制御基板１２０を備えた構成となっている。この制御基板１２０は、光源側サブアッシー５０およびヒートシンク８０の下方において水平面に沿って延びるように配置されており、図示しない支持部材を介してブラケット４０の水平面部４０Ｂに支持されている。
【００３７】
空間光変調器３０は、デジタルマイクロミラーディバイス（ＤＭＤ）であって、複数の反射素子（具体的には数十万個の微小ミラー）がマトリクス状に配置された反射制御部３０Ａを備えている。そして、この空間光変調器３０は、その反射制御部３０Ａを構成する複数の反射素子の各々の反射面の角度を制御することによって、リフレクタ５４で反射して各反射素子に到達した左右１対の光源５２からの光を、投影レンズ７２へ向かう方向（図１において実線で示す方向）と投影レンズ７２から外れた方向（図１において２点鎖線で示す方向）とのいずれかの方向を選択して反射させるようになっている。
【００３８】
支持基板２２は、光軸Ａｘと直交する鉛直面に沿って延びるように配置されており、その前面には導電パターン（図示せず）が形成されている。そして、空間光変調器３０は、ソケット２６を介してこの支持基板２２と電気的に接続されている。
【００３９】
空間光変調ユニット２０は、その空間光変調器３０がブラケット４０の鉛直面部４０Ａとヒートシンク２４とによってユニット前後方向両側から支持された構成となっている。ブラケット４０の鉛直面部４０Ａと空間光変調器３０との間には、板状部材３２とガスケット３４とが配置されており、ブラケット４０の鉛直面部４０Ａには透光カバー３６が支持されている。
【００４０】
空間光変調ユニット２０とレンズ側サブアッシー７０との間には、反射制御部３０Ａから２点鎖線で示す方向へ向かう反射光を遮光する遮光カバー９０が配置されている。また、支持基板２２の周囲には、支持基板２２の上部領域を囲む上部カバー９２と支持基板２２の下部領域を囲む下部カバー９４とが配置されている。遮光カバー９０ならびに上部カバー９２および下部カバー９４は、電気的に接地された導電性部材として構成されており、これにより光源５２の点消灯の繰り返しによって発生するノイズから空間光変調器３０を保護する電磁シールドとして機能するようになっている。
【００４１】
図２に示すように、制御基板１２０は、左右１対のプリント配線板１３０、１４０を介して支持基板２２と電気的に接続されている。各プリント配線板１３０、１４０は、フレキシブルプリント配線板として構成されている。
【００４２】
右側（ユニット正面視では左側）に位置するプリント配線板１３０は、その第１端部１３０ａを制御基板１２０の上面１２０ａの後端部に搭載されたコネクタ１５０Ａに挿入することにより該コネクタ１５０Ａと電気的に接続されるとともに、その第２端部１３０ｂを支持基板２２の前面２２ａの下端部に搭載されたコネクタ１５０Ｂに挿入することにより該コネクタ１５０Ｂと電気的に接続されるようになっている。
【００４３】
このプリント配線板１３０は、ユニット側面視において第１端部１３０ａから第２端部１３０ｂへ向けて円弧状に延びるように形成されている。また、２２つのコネクタ１５０Ａ、１５０Ｂは、いずれも同様の構成を有している。
【００４４】
左側に位置するプリント配線板１４０は、プリント配線板１３０よりも広幅で形成されており、その第１端部１４０ａを制御基板１２０の上面１２０ａの後端部に搭載されたコネクタ１６０Ａに挿入することにより該コネクタ１６０Ａと電気的に接続されるとともに、その第２端部１４０ｂを支持基板２２の前面２２ａの下端部に搭載されたコネクタ１６０Ｂに挿入することにより該コネクタ１６０Ｂと電気的に接続されるようになっている。
【００４５】
このプリント配線板１４０も、ユニット側面視において第１端部１４０ａから第２端部１４０ｂへ向けて円弧状に延びるように形成されている。また、２つのコネクタ１６０Ａ、１６０Ｂは、いずれも同様の構成を有している。
【００４６】
図３は、図２のIII 方向矢視図であって、右側に位置するプリント配線板１３０の第１端部１３０ａをコネクタ１５０Ａに接続するためのコネクタ接続構造を示す図である。また、図４は、図３のIV部詳細図である。
【００４７】
図３に示すように、プリント配線板１３０の第１端部１３０ａには、その左右両側の側面に矩形状の切欠き部１３０ｅがそれぞれ形成されている。一方、コネクタ１５０Ａの挿入孔１５０Ａａには、その左右両端部に係合片１５０Ａｂがそれぞれ形成されている。そして、プリント配線板１３０の第１端部１３０ａがコネクタ１５０Ａの挿入孔１５０Ａａに対して正規の嵌合位置まで挿入されたとき、左右１対の切欠き部１３０ｅに左右１対の係合片１５０Ａｂが係合し、これによりプリント配線板１３０とコネクタ１５０Ａとが嵌合状態となるように構成されている。
【００４８】
プリント配線板１３０の表面１３０ｃには、該プリント配線板１３０の先端面１３０ｄまで該プリント配線板１３０の挿入方向（第１端部１３０ａにおいてはユニット前方）に延びる複数の導電線として、並列に配置された複数対の信号線１３２Ａ、１３２Ｂと、これら複数対の信号線１３２Ａ、１３２Ｂの各々の両側に配置された複数のグラウンド線１３４、１３６とが形成されている。これら複数対の信号線１３２Ａ、１３２Ｂおよび複数のグラウンド線１３４、１３６は、電気メッキ処理による金メッキ層の導電パターンとして形成されている。
【００４９】
なお、プリント配線板１３０の表面１３０ｃには、その第１および第２端部１３０ａ、１３０ｂを除く一般部に、電磁シールド用のシールドフィルム（図示せず）が貼付されている。
【００５０】
各信号線１３２Ａ、１３２Ｂは、プリント配線板１３０の一般部に位置する一般領域１３２Ａｃ、１３２Ｂｃにおいては極細の一定幅で形成されている。一方、各信号線１３２Ａ、１３２Ｂは、プリント配線板１３０の第１端部１３０ａにおいては、一般領域１３２Ａｃ、１３２Ｂｃに繋がる第１領域１３２Ａａ、１３２Ｂａが一般領域１３２Ａｃ、１３２Ｂｃの５〜１０倍程度の広さの一定幅で形成されており、また、その第１端部１３０ａにおいて第１領域１３２Ａａ、１３２Ｂａに繋がるようにして先端面１３０ｄまで延びる第２領域１３２Ａｂ、１３２Ｂｂが第１領域１３２Ａａ、１３２Ｂａの１／３〜２／３倍程度の広さの一定幅で形成されている。
【００５１】
各対の信号線１３２Ａ、１３２Ｂは、左右対称の形状を有している。その際、各対の信号線１３２Ａ、１３２Ｂは、両者間に一般領域１３２Ａｃ、１３２Ｂｃの幅よりは広いが第２領域１３２Ａｂ、１３２Ｂｂの幅よりは狭い一定の間隔をおいて形成されている。そして、各信号線１３２Ａ、１３２Ｂは、一般領域１３２Ａｃ、１３２Ｂｃと第１領域１３２Ａａ、１３２Ｂａとの接続部分においてはその幅が徐変するように形成されており、第１領域１３２Ａａ、１３２Ｂａと第２領域１３２Ａｂ、１３２Ｂｂとの接続部分においてはその幅が急変するように形成されている。
【００５２】
複数のグラウンド線１３４、１３６のうち、各対の信号線１３２Ａ、１３２Ｂの間に位置するグラウンド線１３４は、これに隣接する信号線１３２Ａ、１３２Ｂと一定の間隔をおいて形成されている。その際の間隔は、各対の信号線１３２Ａ、１３２Ｂ相互の間隔と同じ値に設定されている。
【００５３】
すなわち、各グラウンド線１３４は、プリント配線板１３０の一般部に位置する一般領域１３４ｃにおいては広幅で形成されており、プリント配線板１３０の第１端部１３０ａにおいては、一般領域１３４ｃに繋がる第１領域１３４ａが各信号線１３２Ａ、１３２Ｂの第１領域１３２Ａａ、１３２Ｂａと同じ幅で形成されており、また、第１領域１３４ａに繋がるようにして先端面１３０ｄまで延びる第２領域１３４ｂが各信号線１３２Ａ、１３２Ｂの第２領域１３２Ａｂ、１３２Ｂｂと同じ幅で形成されている。
【００５４】
そしてこれにより、各信号線１３２Ａ、１３２Ｂおよび各グラウンド線１３４は、その第１領域１３２Ａａ、１３２Ｂａ、１３４ａが互いに同一幅でかつ一定のピッチ（例えば０．５ｍｍ程度のピッチ）で形成されており、また、その第２領域１３２Ａｂ、１３２Ｂｂ、１３４ｂも互いに同一幅でかつ一定のピッチで形成されている。
【００５５】
ただし、複数対の信号線１３２Ａ、１３２Ｂのうち最も外側に位置する（すなわち上記挿入方向と直交する方向の端部に位置する）各１対の信号線１３２Ａ、１３２Ｂにおいて外側に位置する信号線１３２Ａ１、１３２Ｂ１は、その配線形状が他の信号線１３２Ａ、１３２Ｂとは部分的に異なる形状に設定されている。
【００５６】
すなわち、図４に示すように、最も外側（すなわち右側）に位置する１対の信号線１３２Ａ１、１３２Ｂのうち外側に位置する信号線１３２Ａ１は、その第２領域１３２Ａ１ｂが第１領域１３２Ａ１ａの端部からクランク状に屈曲して先端面１３０ｄまで延びるように形成されている。
【００５７】
具体的には、この信号線１３２Ａ１の第２領域１３２Ａ１ｂは、その第１領域１３２Ａ１ａ側の端部近傍において外側へ直角に折れ曲がってから先端面１３０ｄまで上記挿入方向に延びている。その際、このクランク状に形成された第２領域１３２Ａ１ｂは、直線状に形成された他の信号線１３２Ａ、１３２Ｂの第２領域１３２Ａｂ、１３２Ｂｂと同一幅で形成されている。
【００５８】
一方、図３に示すように、プリント配線板１３０の左右反対側の最も外側に位置する１対の信号線１３２Ａ、１３２Ｂ１において外側に位置する信号線１３２Ｂ１も、その第２領域１３２Ｂ１ｂが第１領域１３２Ｂ１ａの端部から信号線１３２Ａ１と左右対称の形状でクランク状に屈曲して先端面１３０ｄまで延びるように形成されている。
【００５９】
また、複数のグラウンド線１３４、１３６のうち、最も外側に位置する各１対の信号線１３２Ａ、１３２Ｂの外側に位置するグラウンド線１３６は、その第１領域１３６ａの形状については各グラウンド線１３４の第１領域１３４ａと同様であるが、その一般領域１３６ｃの形状が他のグラウンド線１３４の一般領域１３４ｃよりも広幅で形成されている。
【００６０】
すなわち、グラウンド線１３６は、他のグラウンド線１３４と同様、該グラウンド線１３６に隣接する信号線１３２Ａまたは１３２Ｂと一定の間隔をおいて形成されているが、その一般領域１３６ｃはプリント配線板１３０の側端面の近傍位置まで拡がるように形成されている。
【００６１】
図４に示すように、信号線１３２Ａ１の第２領域１３２Ａ１ｂは、該信号線１３２Ａ１に隣接するグラウンド線１３６の第１領域１３６ａに対して上記挿入方向の延長線上に位置するようにして先端面１３０ｄまで延びている。
【００６２】
また、この信号線１３２Ａ１に隣接するグラウンド線１３６も、その第２領域１３６ｂが外側へ屈曲してプリント配線板１３０の先端面１３０ｄまで延びている。
【００６３】
具体的には、このグラウンド線１３６の第２領域１３６ｂは、その第１領域１３６ａにおける先端面１３０ｄ側の端部近傍部位から外側へ直角に突出してから先端面１３０ｄまで上記挿入方向に延びている。その際、このＬ字状に形成された第２領域１３６ｂは、直線状に形成された他のグラウンド線１３４の第２領域１３４ｂと同一幅で形成されている。また、この第２領域１３６ｂと信号線１３２Ａ１の第２領域１３２Ａ１ｂとの間隔は、他の第２領域１３２Ａｂ、１３２Ｂｂ、１３４ｂ相互の間隔と同一の値に設定されている。
【００６４】
以上の点に関しては、プリント配線板１３０の左右反対側に位置する信号線１３２Ｂ１の第２領域１３２Ｂ１ｂおよびグラウンド線１３６の第２領域１３６ｂについても同様である。
【００６５】
図３に示すように、コネクタ１５０Ａの挿入孔１５０Ａａには、複数の接点１５２Ａ、１５２Ｂ、１５４、１５６がプリント配線板１３０の挿入方向と直交する方向に等間隔で並列に配置されている。そして、プリント配線板１３０の第１端部１３０ａがコネクタ１５０Ａに対して正規の嵌合位置まで挿入されたとき、接点１５２Ａが信号線１３２Ａ、１３２Ａ１の第１領域１３２Ａａ、１３２Ａ１ａと電気的に接続され、接点１５２Ｂが信号線１３２Ｂ、１３２Ｂ１の第１領域１３２Ｂａ、１３２Ｂ１ａと電気的に接続され、接点１５４がグラウンド線１３４の第１領域１３４ａと電気的に接続され、各接点１５６がグラウンド線１３６の第１領域１３６ａと電気的に接続されるようになっている。
【００６６】
なお、各対の信号線１３２Ａ、１３２Ａ１および１３２Ｂ、１３２Ｂ１ならびに各グラウンド線１３４、１３６は、プリント配線板１３０の第２端部１３０ｂ（図２参照）においても第１端部１３０ａの構成と同様の構成を有している。
【００６７】
図５および６は、プリント配線板１３０の第１端部１３０ａがコネクタ１５０Ａに対して正規の嵌合位置まで挿入されていない半嵌合状態を示す図である。
【００６８】
図５は、プリント配線板１３０の挿入量が不足している場合の半嵌合状態を示している。図７（ａ）は、図５のVIIa部詳細図である。
【００６９】
これらの図に示すように、プリント配線板１３０が半嵌合状態にある場合でも、左右両端部に位置する信号線１３２Ａ１、１３２Ｂ１以外の信号線１３２Ａ、１３２Ｂは、その第２領域１３２Ａｂ、１３２Ｂｂがコネクタ側の信号線用の接点１５２Ａ、１５２Ｂと導通してしまうが、左右両端部に位置する信号線１３２Ａ１、１３２Ｂ１は、その第２領域１３２Ａ１ｂ、１３２Ｂ１ｂがコネクタ側の信号線用の接点１５２Ａ、１５２Ｂとは導通せずにグラウンド線用の接点１５６と導通した状態となる。
【００７０】
図６は、プリント配線板１３０がその右端部（図６においては左端部）を後退させるようにして斜めに挿入された場合の半嵌合状態を示している。図７（ｂ）は、図５のVIIb部詳細図である。
【００７１】
これらの図に示すように、プリント配線板１３０の第１端部１３０ａがコネクタ１５０Ａに対して斜めに挿入された状態でも、右端部に位置する信号線１３２Ａ１以外の信号線１３２Ａ、１３２Ｂは、その第１領域１３２Ａａ、１３２Ｂａあるいは第２領域１３２Ａｂ、１３２Ｂｂにおいてコネクタ側の信号線用の接点１５２Ａ、１５２Ｂと導通してしまうが、右端部に位置する信号線１３２Ａ１は、信号線用の接点１５２Ａとは導通せず、代わりにその第２領域１３２Ａ１ｂにおいてグラウンド線用の接点１５６と導通した状態となる。
【００７２】
図８は、図２のVIII方向矢視図であって、左側に位置するプリント配線板１４０の第１端部１４０ａをコネクタ１６０Ａに接続するためのコネクタ接続構造を示す図である。
【００７３】
図８に示すように、このプリント配線板１４０も、その基本的な構成はプリント配線板１３０と同様である。
【００７４】
すなわち、このプリント配線板１４０の第１端部１４０ａには、その左右両側の側面に１対の矩形状の切欠き部１４０ｅが形成されている。一方、コネクタ１６０Ａの挿入孔１６０Ａａには、その左右両端部に１対の係合片１６０Ａｂが形成されている。そして、プリント配線板１４０の第１端部１４０ａがコネクタ１６０Ａの挿入孔１６０Ａａに対して正規の嵌合位置まで挿入されたとき、左右１対の切欠き部１４０ｅに左右１対の係合片１６０Ａｂが係合し、これによりプリント配線板１４０とコネクタ１６０Ａとが嵌合状態となるように構成されている。
【００７５】
プリント配線板１４０の表面１４０ｃには、該プリント配線板１４０の先端面１４０ｄまで該プリント配線板１４０の挿入方向に延びる複数の導電線として、並列に配置された複数対の信号線１４２Ａ、１４２Ｂと、これらの両側に配置された２対の電源線１７２Ａ、１７２Ｂと、その各々の両側に配置された複数のグラウンド線１４４、１４６、１４８Ａ、１４８Ｂとが形成されている。
【００７６】
各信号線１４２Ａ、１４２Ｂは、プリント配線板１３０の場合と同様、一般部に位置する一般領域１４２Ａｃ、１４２Ｂｃと、これらに繋がる第１領域１４２Ａａ、１４２Ｂａと、これらに繋がるようにして先端面１４０ｄまで延びる第２領域１４２Ａｂ、１４２Ｂｂとで構成されている。
【００７７】
各電源線１７２Ａ、１７２Ｂは、一般部に位置する一般領域１７２Ａｃ、１７２Ｂｃと、これらに繋がる第１領域１７２Ａａ、１７２Ｂａと、これらに繋がるようにして先端面１４０ｄまで延びる第２領域１７２Ａｂ、１７２Ｂｂとで構成されている。その際、各電源線１７２Ａ、１７２Ｂは、各信号線１４２Ａ、１４２Ｂと同様の幅で形成されている。
【００７８】
そして、各対の電源線１７２Ａ、１７２Ｂにおいて外側に位置する電源線１７２Ａ１、１７２Ｂ１は、その一般領域１７２Ａ１ｃ、１７２Ｂ１ｃに関しては他の電源線１７２Ａ、１７２Ｂの一般領域１７２Ａｃ、１７２Ｂｃと同様であるが、その第２領域１７２Ａ１ｂ、１７２Ｂ１ｂが、プリント配線板１３０の信号線１３２Ａ１、１３２Ｂ１の第２領域１３２Ａ１ｂ、１３２Ｂ１ｂと同様、第１領域１７２Ａ１ａ、１７２Ｂ１ａの端部からクランク状に屈曲して先端面１３０ｄまで延びるように形成されている。
【００７９】
また、複数のグラウンド線１４４、１４６、１４８Ａ、１４８Ｂのうち、最も外側に位置するグラウンド線１４６は、その一般領域１４６ｃの内側形状がプリント配線板１３０のグラウンド線１３６の一般領域１３６ｃと異なっているが、その第１および第２領域１４６ａ、１４６ｂの形状についてはプリント配線板１３０のグラウンド線１３６の第１および第２領域１３６ａ、１３６ｂと同様である。
【００８０】
また、グラウンド線１４６の内側に隣接するグラウンド線１４８Ａは一般領域１４８Ａｃのみで構成されているが、その内側に隣接するグラウンド線１４８Ｂは、その一般領域１４８Ｂｃの形状がグラウンド線１４４の一般領域１４４ｃと異なっており、その第１および第２領域１４８Ｂａ、１４８Ｂｂの形状については各グラウンド線１４４の第１および第２領域１４４ａ、１４４ｂと同様である。
【００８１】
なお、グラウンド線１４４の構成は、プリント配線板１３０のグラウンド線１３４の構成と同様である。
【００８２】
コネクタ１６０Ａの挿入孔１６０Ａａには、複数の接点１６２Ａ、１６２Ｂ、１６４、１６６、１８２Ａ、１８２Ｂがプリント配線板１４０の挿入方向と直交する方向に等間隔で並列に配置されている。そして、プリント配線板１４０の第１端部１４０ａがコネクタ１４０Ａに対して正規の嵌合位置まで挿入されたとき、接点１６２Ａ、１６２Ｂが信号線１４２Ａ、１４２Ｂの第１領域１４２Ａａ、１４２Ｂａとそれぞれ電気的に接続され、接点１６４、１６６がグラウンド線１４４、１４６の第１領域１４４ａ、１４６ａとそれぞれ電気的に接続され、接点１８２Ａが電源線１７２Ａ、１７２Ａ１の第１領域１７２Ａａ、１７２Ａ１ａとそれぞれ電気的に接続され、接点１８２Ｂが電源線１７２Ｂ、１７２Ｂ１の第１領域１７２Ｂａ、１７２Ｂ１ａとそれぞれ電気的に接続されるようになっている。
【００８３】
図９（ａ）および（ｂ）は、プリント配線板１４０の第１端部１４０ａがコネクタ１６０Ａに対して正規の嵌合位置まで挿入されていない半嵌合状態を示す図である。
【００８４】
図９（ａ）は、プリント配線板１４０の挿入量が不足している場合の半嵌合状態を示す、図７（ａ）と同様の図である。
【００８５】
図９（ａ）に示すように、プリント配線板１４０が半嵌合状態にある場合でも、右端部に位置する電源線１７２Ａ１（および左端部に位置する電源線１７２Ｂ１）以外の信号線１４２Ａ、１４２Ｂおよび電源線１７２Ａ、１７２Ｂは、その第２領域１４２Ａｂ、１４２Ｂｂおよび１７２Ａｂ、１７２Ｂｂにおいてコネクタ１６０Ａ側の信号線用の接点１６２Ａ、１６２Ｂあるいは電源線用の接点１８２Ａ、１８２Ｂと導通してしまうが、右端部に位置する電源線１７２Ａ１（および左端部に位置する電源線１７２Ｂ１）は、電源線用の接点１８２Ａとは導通せず、その第２領域１８２Ａ１ｂ（および１８２Ｂ１ｂ）においてグラウンド線用の接点１６６と導通した状態となる。
【００８６】
図９（ｂ）は、プリント配線板１４０がその右端部を後退させるようにして斜めに挿入された場合の半嵌合状態を示す、図７（ｂ）と同様の図である。
【００８７】
図９（ｂ）に示すように、プリント配線板１４０が半嵌合状態にある場合でも、右端部に位置する電源線１７２Ａ１以外の信号線１４２Ａ、１４２Ｂおよび電源線１７２Ａ、１７２Ｂは、その第１領域１４２Ａａ、１４２Ｂａおよび１７２Ａａ、１７２Ｂａあるいは第２領域１４２Ａｂ、１４２Ｂｂおよび１７２Ａｂ、１７２Ｂｂにおいてコネクタ側１６０Ａの信号線用の接点１６２Ａ、１６２Ｂあるいは電源線用の接点１８２Ａ、１８２Ｂと導通してしまうが、右端部に位置する電源線１７２Ａ１は、電源線用の接点１６２Ａとは導通せず、代わりにその第２領域１７２Ａ１ｂにおいてグラウンド線用の接点１６６と導通した状態となる。
【００８８】
次に本実施形態の作用について説明する。
【００８９】
本実施形態に係るに係るコネクタ接続構造は、プリント配線板１３０の第１端部１３０ａをコネクタ１５０Ａに挿入することによりプリント配線板１３０をコネクタ１５０Ａと電気的に接続する構成となっているが、プリント配線板１３０の表面１３０ｃには該プリント配線板１３０の先端面１３０ｄまでその挿入方向に延びる複数の信号線１３２Ａ、１３２Ｂおよびグラウンド線１３４、１３６（導電線）が形成されているので、これらをメッキ処理等によって容易に形成することが可能となる。
【００９０】
その上で、複数対の信号線１３２Ａ、１３２Ｂのうち左右両端部（挿入方向と直交する方向の端部）に位置する１対の信号線１３２Ａ、１３２Ｂにおける外側の信号線１３２Ａ１、１３２Ｂ１は、プリント配線板１３０の挿入方向に延びる第１領域１３２Ａ１ａ、１３２Ｂ１ａとその第２領域１３２Ａ１ｂ、１３２Ｂ１ｂ側の端部から外側に屈曲してプリント配線板１３０の先端面１３０ｄまで延びる第２領域１３２Ａ１ｂ、１３２Ｂ１ｂとを備えているので、次のような作用効果を得ることができる。
【００９１】
すなわち、プリント配線板１３０の第１端部１３０ａがコネクタ１５０Ａに対して正規の嵌合位置まで挿入された嵌合状態では、信号線１３２Ａ１、１３２Ｂ１をその第１領域１３２Ａ１ａ、１３２Ｂ１ａにおいてコネクタ側の接点１５２Ａ、１５３Ｂと導通させる一方、正規の嵌合位置まで挿入されていない半嵌合状態では、信号線１３２Ａ１、１３２Ｂ１をコネクタ側の接点１５２Ａ、１５３Ｂと導通させないようにすることができる。これにより半嵌合状態では、適正な組付けが行われていないものとして、製品出荷前の導通テストで異常ありとの正しい判定がなされるようにすることができる。
【００９２】
このように本実施形態によれば、プリント配線板１３０をコネクタ１５０Ａと電気的に接続するように構成されたコネクタ接続構造において、プリント配線板１３０の第１端部１３０ａがコネクタ１５０Ａに対して正規の嵌合位置まで挿入されていない場合には導通テストで異常を検出することができる。
【００９３】
特に本実施形態においては、複数対の信号線１３２Ａ、１３２Ｂのうち左右両端部（挿入方向と直交する方向の両端部）に位置する１対の信号線１３２Ａ、１３２Ｂにおける外側の信号線１３２Ａ１、１３２Ｂ１が屈曲するように形成されているので、その第２領域１３２Ａ１ｂ、１３２Ｂ１ｂを第１領域１３２Ａ１ａ、１３２Ｂ１ａの端部から屈曲してプリント配線板１３０の先端面１３０ｄまで延びるように形成するためのスペースを確保することが容易に可能となる。
【００９４】
また、プリント配線板１３０の第１端部１３０ａがコネクタ１５０Ａに対して図６に示すように斜めに挿入された半嵌合状態では、その傾斜方向後方側に位置する右端部はコネクタ側の接点１６２Ａからの変位量が大きくなるので、この右端部に位置している信号線１３２Ａ１をコネクタ側の接点１５２Ａと導通させないようにすることが容易に可能となる。
【００９５】
さらに本実施形態においては、複数対の信号線１３２Ａ、１３２Ｂのうち左端部に位置する１対の信号線１３２Ａ、１３２Ｂ１における左側の信号線１３２Ｂ１も屈曲するように形成されているので、プリント配線板１３０の第１端部１３０ａがコネクタ１５０Ａに対していずれの方向に傾斜して挿入された場合においても信号線１３２Ａ１または１３２Ｂ１をコネクタ側の接点１５２Ａまたは１５２Ｂと導通させないようにすることが容易に可能となる。
【００９６】
本実施形態においては、各信号線１３２Ａ１、１３２Ｂ１の第２領域１３２Ａ１ｂ、１３２Ｂ１ｂがその第１領域１３２Ａ１ａ、１３２Ｂ１ａよりも細幅で形成されているので、半嵌合状態でこれをコネクタ側の接点１５２Ａ、１５２Ｂと導通させないようにするための第２領域１３２Ａ１ｂ、１３２Ｂ１ｂの引き回しを容易に行うことができる。
【００９７】
また本実施形態においては、各信号線１３２Ａ１、１３２Ｂ１の第２領域１３２Ａ１ｂ、１３２Ｂ１ｂがクランク状に形成されているので、半嵌合状態でこれをコネクタ側の接点１５２Ａ、１５２Ｂと導通させないようにするための第２領域１３２Ａ１ｂ、１３２Ｂ１ｂの引き回しを容易に行うことができる。
【００９８】
さらに本実施形態においては、これら各信号線１３２Ａ１、１３２Ｂ１に対してプリント配線板１３０の側端面側（上記挿入方向と直交する方向の端部側）に隣接するグラウンド線１３６の第２領域１３６ｂが、各信号線１３２Ａ１、１３２Ｂ１の第２領域１３２Ａ１ｂから離れる方向へＬ字状に屈曲してプリント配線板１３０の先端面１３０ｄまで延びているので、各信号線１３２Ａ１、１３２Ｂ１との間隔を確保することが容易に可能となる。
【００９９】
しかも本実施形態においては、各信号線１３２Ａ１、１３２Ｂ１の第２領域１３２Ａ１ｂ、１３２Ｂ１ｂが、これに隣接するグラウンド線１３６の第１領域１３６ａに対してプリント配線板１３０の挿入方向の延長線上に位置するようにして先端面１３０ｄまで延びているので、半嵌合状態では各信号線１３２Ａ１、１３２Ｂ１をコネクタ側のグラウンド用の接点１５６とを導通させて電気的に短絡させることができる。そしてこれにより適正な組付けが行われていないものとして製品出荷前の導通テストで異常ありとの正しい判定がより確実になされるようにすることができる。
【０１００】
本実施形態においては、プリント配線板１３０の第２端部１３０ｂをコネクタ１５０Ｂに挿入する際のコネクタ接続構造においても同様の作用効果を得ることができる。
【０１０１】
また本実施形態においては、プリント配線板１４０の第１端部１４０ａをコネクタ１６０Ａに挿入する際のコネクタ接続構造およびその第２端部１４０ｂをコネクタ１６０Ｂに挿入する際のコネクタ接続構造においても同様の作用効果を得ることができる。
【０１０２】
上記実施形態においては、各信号線１３２Ａ１、１３２Ｂ１の第２領域１３２Ａ１ｂ、１３２Ｂ１ｂが第１領域１３２Ａ１ａ、１３２Ｂ１ａの端部からクランク状に屈曲してプリント配線板１３０の先端面１３０ｄまで延びるように形成されているものとして説明したが、それ以外の屈曲形状（例えばＳ字状や斜め直線状等）を採用することも可能である。
【０１０３】
上記実施形態においては、プリント配線板１３０が、ユニット側面視において円弧状に延びるように形成されており、その内周側の表面１３０ｃに信号線１３２Ａ、１３２Ｂおよびグラウンド線１３４、１３６が形成された構成とした上で、その表面１３０ｃにおける第１および第２端部１３０ａ、１３０ｂを除く一般部にシールドフィルムが貼付されているものとして説明したが、プリント配線板１３０の外周側の表面に信号線１３２Ａ、１３２Ｂおよびグラウンド線１３４、１３６が形成された構成とした上で、その表面の一般部にシールドフィルムが貼付された構成とすることも可能である。プリント配線板１４０に関しても同様である。
【０１０４】
上記実施形態においては、車両用灯具１００に組み込まれた車載用のコネクタ接続構造について説明したが、このコネクタ接続構造を車載用以外の用途に用いることも可能である。
【０１０５】
なお、上記実施形態において諸元として示した数値は一例にすぎず、これらを適宜異なる値に設定してもよいことはもちろんである。
【０１０６】
また本願発明は、上記実施形態に記載された構成に限定されるものではなく、これ以外の種々の変更を加えた構成が採用可能である。
【符号の説明】
【０１０７】
１０  灯具ユニット
２０  空間光変調ユニット
２２  支持基板
２２ａ  前面
２４  ヒートシンク
２６  ソケット
３０  空間光変調器
３０Ａ  反射制御部
３２  板状部材
３４  ガスケット
３６  透光カバー
４０  ブラケット
４０Ａ  鉛直面部
４０Ｂ  水平面部
５０  光源側サブアッシー
５２  光源
５４  リフレクタ
６０  ベース部材
６２  伝熱板
７０  レンズ側サブアッシー
７２  投影レンズ
７４  レンズホルダ
８０  ヒートシンク
８２  放熱ファン
８４  伝熱板
８６  ヒートパイプ
９０  遮光カバー
９２  上部カバー
９４  下部カバー
１００  車両用灯具
１０２  ランプボディ
１０４  透光カバー
１２０  制御基板
１２０ａ  上面
１３０、１４０  プリント配線板
１３０ａ、１４０ａ  第１端部
１３０ｂ、１４０ｂ  第２端部
１３０ｃ、１４０ｃ  表面
１３０ｄ、１４０ｄ  先端面
１３０ｅ、１４０ｅ  切欠き部
１３２Ａ、１３２Ａ１、１３２Ｂ、１３２Ｂ１、１４２Ａ、１４２Ｂ  信号線（導電線）
１３２Ａａ、１３２Ａ１ａ、１３２Ｂａ、１３２Ｂ１ａ、１３４ａ、１３６ａ、１４２Ａａ、１４２Ａ１ａ、１４２Ｂａ、１４２Ｂ１ａ、１４６ａ、１４８Ｂａ、１７２Ａａ、１７２Ａ１ａ、１７２Ｂａ、１７２Ｂ１ａ  第１領域
１３２Ａｂ、１３２Ａ１ｂ、１３２Ｂｂ、１３２Ｂ１ｂ、１３４ｂ、１３６ｂ、１４２Ａｂ、１４２Ａ１ｂ、１４２Ｂｂ、１４２Ｂ１ｂ、１４６ｂ、１４８Ｂｂ、１７２Ａｂ、１７２Ａ１ｂ、１７２Ｂｂ、１７２Ｂ１ｂ  第２領域
１３２Ａｃ、１３２Ｂｃ、１３４ｃ、１３６ｃ、１４２Ａｃ、１４２Ｂｃ、１４６ｃ、１４８Ａｃ、１４８Ｂｃ、１７２Ａｃ、１７２Ｂｃ  一般領域
１３４、１３６、１４４、１４６、１４８Ａ、１４８Ｂ  グラウンド線（導電線）
１５０Ａ、１５０Ｂ、１６０Ａ、１６０Ｂ  コネクタ
１５０Ａａ、１６０Ａａ  挿入孔
１５０Ａｂ、１６０Ａｂ  係合片
１５２Ａ、１５２Ｂ、１６２Ａ、１６２Ｂ  信号線用の接点
１５４、１５６、１６４、１６６  グラウンド線用の接点
１７２Ａ、１７２Ａ１、１７２Ｂ、１７２Ｂ１  電源線（導電線）
１８２Ａ、１８２Ｂ  電源線用の接点
Ａｘ  光軸
【図１】
2020119943.tif 000003
【図２】
2020119943.tif 000004
【図３】
2020119943.tif 000005
【図４】
2020119943.tif 000006
【図５】
2020119943.tif 000007
【図６】
2020119943.tif 000008
【図７】
2020119943.tif 000009
【図８】
2020119943.tif 000010
【図９】
2020119943.tif 000011